(57)【要約】【課題】限られたサイズのタッチパネル画面上でも、正確な入力動作ができるようにする。【解決手段】表示部(6)の上面に配置される入力パネル(3)の透過型の入力部5が接触状態にあり、接触箇所数検出部(8)により検出された接触数が１箇所であるとき、画面表示画像拡大部(15)により拡大された、接触位置を含むその周辺部分に表示されている周辺画像を表示部(6)に表示し、１箇所目の接触物が拡大された前記周辺画像に接触状態であると非接触瞬間検出部(9)が検出し且つ拡大された前記周辺画像への接触箇所数が２箇所であると接触箇所数検出部(8)より検出された場合に、前記接触位置検出部(7)より検出された２箇所目の接触物の接触位置情報から、前記２箇所目の接触物の選択項目を項目選択部(17)が算出し、算出された前記２箇所目の接触物の選択項目に応じた所定のイベント処理を入力装置イベント制御部(12)が実行する。【選択図】図１
2008009856.tif 000002
【特許請求の範囲】
【請求項１】
画像を表示する表示部と、ユーザーによりパネルに接触されることでその接触位置に割り当てられている選択項目が選択入力される前記表示部の上面に配置される透過型の入力部とを有する入力パネルと、
前記入力パネルの入力部が接触状態にあるとき、その接触位置を検出する接触位置検出手段と、
前記入力パネルの入力部が接触状態にあるとき、その接触箇所数を検出する接触箇所数検出手段と、
前記入力パネルの入力部で選択入力される選択項目に応じた画像の表示を前記表示部に指示する選択可能項目指示手段と、
前記入力パネルの入力部が接触状態であり、かつ、前記接触箇所数検出手段で検出された接触箇所数が１箇所の場合に、前記接触位置検出手段で検出される接触位置が前記入力パネルの表示部に画像表示されている選択項目のうちのどの選択項目に対応するかを検出する接触画像検出手段と、
前記入力パネルの表示部に表示された画像のうち、前記接触画像検出手段により検出された前記選択項目に対応する画像を含む所定領域の画像を検出する周辺画像情報検出手段と、
前記周辺画像情報検出手段により検出された前記所定領域の画像を拡大して前記入力パネルの表示部に表示すると共に、この拡大した画像に応じて前記入力パネルの入力部の選択項目の割り当てを変更する拡大手段と、
前記拡大手段によって、前記所定領域の画像が前記入力パネルの表示部に拡大表示されている状態において、前記入力パネルの入力部の新たな箇所が接触状態にされて、前記接触箇所数検出手段で検出した接触箇所数が２箇所になった場合に、前記接触位置検出手段により検出された前記新たな箇所の接触位置に基づいて前記接触画像検出手段によって検出された前記選択項目に応じた所定のイベント処理を実行するイベント実行手段と
を備えることを特徴とする入力装置。
【請求項２】
請求項１に記載の入力装置において、
前記拡大手段によって、前記所定領域の画像が前記入力パネルの表示部に拡大表示されている状態において、前記入力パネルの入力部が接触状態から非接触状態にされた場合、前記拡大表示された前記所定領域の画像を拡大前の画像の表示に戻すと共に、前記入力パネルの入力部の選択項目の割り当てを前記拡大前の画像の表示に応じた状態に戻す全画面表示画像手段を更に備えることを特徴とする入力装置。
【発明の詳細な説明】
【技術分野】
【０００１】
本発明は、例えばカーナビゲーション等の車載機器に適用され、指などで画面に触れることで操作を行うタッチパネル式の入力装置に係り、特に限られた画面サイズの入力装置を操作した際にも、ユーザーの誤った選択入力を低減できるタッチパネル式の入力装置に関する。
【背景技術】
【０００２】
ボタンやラベルや文字などを表示する液晶や有機ＥＬなどのディスプレイパネルと、ユーザーが指などで接触した位置を検出できる抵抗膜や光学式、赤外線走査方式、超音波表面弾性波方式などのタッチパネルを共用するタッチパネル式の入力装置を用いた電子機器や電気機器が普及している。タッチパネル式の入力装置の大きさは様々であるが、ユーザーが操作入力するためのボタンを表示パネルに画像として表示する。
【０００３】
ところが、ユーザーが指で接触して入力すると、ユーザーが意図したボタンとは異なるボタンを誤って選択して入力してしまうことが多々ある。特に、隣接する位置にあるボタンを誤って接触してしまうと、意図しないイベント処理が実行されてしまうことになる。
【０００４】
そこで、タッチパネル式の入力装置による誤った選択入力を防ぐため、複数キーが同時に押されたときに画面を拡大表示する手段（例えば、特許文献１参照）や、キーを押し、接触している位置の周辺を拡大して、接触したまま指をスライドさせてパネルを離した位置によってイベント処理を実行する手段（例えば、特許文献２参照）が開示されている。
【特許文献１】特開平８−２３４９０９号公報
【特許文献２】特開２００２−９１６７７号公報
【発明の開示】
【発明が解決しようとする課題】
【０００５】
しかしながら、特許文献１あるいは特許文献２によれば、タッチパネル式の入力画面を指で押した際、接触位置を含む周辺部の拡大により、ユーザーの操作性は向上することができるが、誤った位置を指で押してしまったときはユーザーが意図しない周辺部が拡大されてしまう。その拡大された周辺部の画像の中にユーザーが選択したい部分が表示されていないとき、表示位置の修正をすることもできず、指を離すとユーザーが意図しないイベント処理が実行されてしまうという問題があった。
【０００６】
本発明は、以上のような問題を鑑みてなされたものであり、限られた画面サイズのタッチパネル式の入力装置においても、ユーザーが意図しないイベントの実行の防止と操作性の向上を実現する入力装置を提供することを目的とする。
【課題を解決するための手段】
【０００７】
上記課題を解決するために、本発明に係る入力装置の特徴は、画像を表示する表示部と、ユーザーによりパネルに接触されることでその接触位置に割り当てられている選択項目が選択入力される前記表示部の上面に配置される透過型の入力部とを有する入力パネルと、前記入力パネルの入力部が接触状態にあるとき、その接触位置を検出する接触位置検出手段と、前記入力パネルの入力部が接触状態にあるとき、その接触箇所数を検出する接触箇所数検出手段と、前記入力パネルの入力部で選択入力される選択項目に応じた画像の表示を前記表示部に指示する選択可能項目指示手段と、前記入力パネルの入力部が接触状態であり、かつ、前記接触箇所数検出手段で検出された接触箇所数が１箇所の場合に、前記接触位置検出手段で検出される接触位置が前記入力パネルの表示部に画像表示されている選択項目のうちのどの選択項目に対応するかを検出する接触画像検出手段と、前記入力パネルの表示部に表示された画像のうち、前記接触画像検出手段により検出された前記選択項目に対応する画像を含む所定領域の画像を検出する周辺画像情報検出手段と、前記周辺画像情報検出手段により検出された前記所定領域の画像を拡大して前記入力パネルの表示部に表示すると共に、この拡大した画像に応じて前記入力パネルの入力部の選択項目の割り当てを変更する拡大手段と、前記拡大手段によって、前記所定領域の画像が前記入力パネルの表示部に拡大表示されている状態において、前記入力パネルの入力部の新たな箇所が接触状態にされて、前記接触箇所数検出手段で検出した接触箇所数が２箇所になった場合に、前記接触位置検出手段により検出された前記新たな箇所の接触位置に基づいて前記接触画像検出手段によって検出された前記選択項目に応じた所定のイベント処理を実行するイベント実行手段とを備えることにある。
【０００８】
尚、上記入力装置は、前記拡大手段によって、前記所定領域の画像が前記入力パネルの表示部に拡大表示されている状態において、前記入力パネルの入力部が接触状態から非接触状態にされた場合、前記拡大表示された前記所定領域の画像を拡大前の画像の表示に戻すと共に、前記入力パネルの入力部の選択項目の割り当てを前記拡大前の画像の表示に応じた状態に戻す全画面表示画像手段を更に備えるものである。
【発明の効果】
【０００９】
本発明によれば、限られた画面サイズのタッチパネル式の入力装置においても、ユーザーの誤った選択入力を低減し、ユーザーが意図しないイベントの実行の防止と操作性の向上を実現する入力装置を提供することができる。
【発明を実施するための最良の形態】
【００１０】
本実施形態における入力装置は、小型のタッチパネル式の入力装置でも、多数のボタンやラベルを表示している画面の中から、ユーザーがパネルを複数箇所接触することにより選択入力できる入力装置である。
【００１１】
以下、図面を参照しながら、本発明の実施形態について詳しく説明する。尚、各図面を通じて同一もしくは同等の部位や構成要素には、同一もしくは同等の参照符号を付し、その説明を省略もしくは簡略化する。
【００１２】
図１は本実施形態におけるタッチパネル式の入力装置の概略構成図の一例であり、入力装置はタッチパネル入力部１と制御部２とを備えている。
【００１３】
タッチパネル入力部１は、入力パネル３と、入力検出部４とを備えている。さらに、入力パネル３は、入力部５と表示部６とを備えている。
【００１４】
入力パネル３の入力部５は、ユーザーによりパネルに接触されることでその接触位置に割り当てられている選択項目が選択入力され、表示部６の上面に配置される透過型の入力パネルであって、パネルへの接触や非接触の情報を入力検出部４に情報送信する。
【００１５】
入力パネル３の表示部６は、制御部２から送信される画像情報を受信して、選択入力するためのボタンやラベルや文字などの画像をパネルに表示する。
【００１６】
入力検出部４は、接触位置検出部７と、接触箇所数検出部８と、非接触瞬間検出部９と、パネル情報送信部１０とを備え、ユーザーが入力パネル３の入力部５に２箇所以上を同時に接触したとき２箇所以上の接触した位置と接触箇所数を光学的に検出する。
【００１７】
接触位置検出部７は、入力パネル３の入力部５に接触物（例えば指）が１箇所以上接触した情報と、その接触物が接触した各接触位置を検出する。
【００１８】
接触箇所数検出部８は、接触物が入力パネル３の入力部５に接触したとき、接触している接触物の箇所の数を検出する。
【００１９】
非接触瞬間検出部９は、入力パネル３の入力部５に接触物が接触している状態から、その接触物が離れた（非接触状態になった）１箇所以上の瞬間情報を検出する。
【００２０】
パネル情報送信部１０は、タッチパネル入力部１で取得した各種情報を制御部２へ送信する。
【００２１】
制御部２は、パネル情報受信部１１と、入力装置イベント制御部１２と、選択可能項目指示部１３と、画面表示画像情報検出部１４、画面表示画像拡大部１５と、全画面表示画像部１６と、項目選択部１７とを備えている。
【００２２】
パネル情報受信部１１は、パネル情報送信部１０を介して、タッチパネル入力部１からの各種情報を受信する。
【００２３】
入力装置イベント制御部１２は、タッチパネル入力部１による情報に応じた、本実施形態における入力装置のイベント処理を制御する。
【００２４】
選択可能項目指示部１３は、入力パネル３の入力部５から選択入力される選択項目に応じた画像や文字を入力パネル３の表示部６に指示する。
【００２５】
画面表示画像情報検出部１４は、入力パネル３の表示部６が表示しているボタンやラベルや文字などの画像、特に接触物が接触している部分及びその周辺が入力パネル３の表示部６に表示されている画像の送信情報を検出する。
【００２６】
画面表示画像拡大部１５は、タッチパネル入力部１と画面表示画像情報検出部１４による情報に応じて、接触物の接触位置周辺の画像を拡大し、拡大した拡大画像情報を入力パネル３の表示部６に送信して表示させる。また、この拡大した画像に応じて入力パネル３の入力部５の選択項目の割り当てを変更する機能を有する。
【００２７】
全画面表示画像部１６は、タッチパネル入力部１による情報に応じて拡大画像を表示している入力パネル３の表示部６に、拡大する前に入力パネル３の表示部６に表示していた全画面表示画像情報を送信する。また、入力パネル３の入力部５の選択項目の割り当てを前記拡大前の画像の表示に応じた状態に戻す機能を有する。
【００２８】
項目選択部１７は、タッチパネル入力部１と画面表示画像情報検出部１４による情報より、接触物が接触した位置がどの選択項目（ボタンやラベルや文字などの画像）に該当するかを算出し、算出した選択項目情報を入力装置イベント制御部１２へ送信する。
【００２９】
図２は、本実施形態における入力装置にキーボタンＫ１等を表示した画面の一例である。制御部２より全画面画像情報がタッチパネル入力部１に送信されて、全画面画像情報を入力パネル３の表示部６で表示している例を示している。タッチパネル入力部１に接触物が接触しない限り、図２に示した全画面画像が表示されたまま、何のイベントも発生しない。
【００３０】
［実施例１］
次に、図６に示すフローチャートを参照しながら、本実施形態における入力装置の選択入力時の処理動作例について説明する。
【００３１】
図３は、ユーザーが「し」の文字を本実施形態における入力装置にて選択入力するために、図２に例示した画面からユーザーが「し」のキーボタンＫ１の周辺部にある「ち」のキーボタンＫ１を接触し、それに応じて制御部２により拡大画像情報をタッチパネル入力部１に送信することにより、「ち」のキーボタンＫ１の周辺画像を表示した画面例である。
【００３２】
入力装置は接触されるまで待機しており、項目選択部１７がユーザーの指で「ち」のキーボタンＫ１部分が接触されたことを検出すると（ステップＳ１）、接触位置検出部７は接触されている入力パネル３の入力部５の接触位置が「ち」のキーボタンＫ１であることを含む接触位置情報（ステップＳ２）を検出し、接触箇所数検出部８は入力パネル３の入力部５の接触箇所数情報を検出し（ステップＳ３）、検出された各情報はパネル情報送信部１０及びパネル情報受信部１１を介して制御部２に送られる。
【００３３】
ステップＳ２において検出された接触位置がキーボタンＫ１部分であり、ステップＳ３において検出された接触箇所数が１箇所である場合、画面表示画像情報検出部１４は接触されている接触位置「ち」のキーボタンＫ１を含むその周辺部分に表示されている画像を検出し、画面表示画像拡大部１５は画面表示画像情報検出部１４により検出された周辺部分の画像を画像を拡大して、タッチパネル入力部１に拡大画像情報を送信し、周辺部分の拡大画像を表示させる。また、この拡大した画像に応じて入力パネル３の入力部５の選択項目の割り当てを変更する処理を実行する（ステップＳ４）。タッチパネル入力部１には、ユーザーが入力パネル３の入力部５から指を離さない限り、拡大画像を表示する。
【００３４】
尚、ステップＳ２において検出された接触位置がキーボタンＫ１部分以外の部分であるか、あるいはステップＳ３において検出された接触箇所数が２箇所以上である場合、ステップＳ１に戻り、入力装置は接触されるまで待機する。
【００３５】
１箇所のみ接触している指が入力パネル３の入力部５から離れると（ステップＳ５）、非接触瞬間検出部９は指が入力パネル３の入力部５から離れたことを示す非接触瞬間情報を検出し、接触箇所数検出部８は接触箇所が０箇所であるという接触箇所数情報を検出し、検出された各情報はパネル情報送信部１０及びパネル情報受信部１１を介して制御部２に送られる。そして、全画面表示画像部１６は拡大する前にタッチパネル入力部１に表示されていた全画面表示画像情報（図２を参照）を送信して全画面表示画像に戻して表示させる。また、入力パネル３の入力部５の選択項目の割り当てを前記拡大前の画像の表示に応じた状態に戻す処理を実行した後、ステップＳ１に戻る（ステップＳ６）。
【００３６】
図４は、ステップＳ２において表示された周辺部分の拡大画面にて、ユーザーによって「し」の文字が選択入力される場合の手順を例示した図である。「ち」のキーボタンＫ１を接触されたことによる「ち」のキーボタンＫ１周辺部を拡大表示した画像の中に、ユーザーが選択したい「し」のキーボタンＫ２が表示している。ユーザーが「ち」のキーボタンＫ２を接触した状態で、選択入力できるボタンは、図４に例示するように、拡大表示している１２個のキーボタンＫ２である。項目選択部１７は、「ち」のキーボタンＫ１を接触した指をタッチパネル入力部１から離さなかった第１の接触位置情報と、拡大表示している「し」のキーボタンＫ１の位置を接触された第２接触位置情報と、２箇所同時におされている接触箇所数情報を、接触位置検出部７と接触箇所数検出部８とからそれぞれ受信することにより（ステップＳ７）、選択項目が「し」のキーボタンＫ２であることを算出する（ステップＳ８）。そして、入力装置イベント制御部１２は「し」の文字入力に対応する所定のイベント処理を実行する（ステップＳ９）。イベント処理が終了したら、再度入力パネル３の入力部５への接触待ち（ステップＳ１）に戻る。また、ステップＳ７において、２箇所目が接触されていることが検出されない場合、ステップＳ５に戻って２箇所同時に接触されるのを待つ。
【００３７】
［実施例２］
図５は、本実施形態の入力装置において、図２に例示した画面からユーザーが「れ」のキーボタンＫ１を接触して、「れ」のキーボタンＫ１部分の周辺拡大画面を表示した一例である。「し」の文字の周辺部を接触するつもりが、誤接触してしまい、「れ」のキーボタンＫ１を接触して、「れ」のキーボタンＫ２の周辺部が拡大表示されている（ステップＳ４）。拡大表示画面の中には「し」のキーボタンは表示していない。よって、接触した指をタッチパネル入力部１から離し（ステップＳ５）、図２に示した元の全画面表示に戻り、再度入力待ち状態となる（ステップＳ１）。「れ」のキーボタンＫ２周辺部を拡大表示した画面の中で、いずれかのキーボタンＫ２をもう１本の指で接触しない限り、何もイベント処理は実行されない。
【００３８】
これにより、接触したキーボタンＫ１部分が、ユーザーが意図したキーボタンＫ１部分から大きく外れていたとしても、簡単に元の全画面表示に戻すことができる。
【００３９】
以上、本発明の一実施形態について説明したように、限られた大きさのタッチパネルに表示された複数の選択可能な項目（キーボタンＫ１）の中から選択入力する際に、接触されたキーボタンＫ１部分の周辺部分に表示されている画像を拡大表示し、それに接触することで、拡大表示された所望のキーボタンＫ２を正確に効率よく選択することができる。従って、限られた画面サイズのタッチパネル式の入力装置においても、ユーザーの誤った選択入力を低減し、ユーザーが意図しないイベントの実行の防止と操作性の向上を実現する入力装置を提供することができる。
【００４０】
また、所望のキーボタンＫ１から大きく離れたキーボタンＫ１に接触して、拡大表示された画面の中に所望のキーボタンＫ２が含まれていない場合、１箇所のみ接触している状態でその指を拡大表示画面から離すだけで、簡単に元の全画面表示に戻すことができ、容易にリトライすることができる。
【００４１】
以上、本発明の実施の形態を詳細に説明したが、本発明は、その精神または主要な特徴から逸脱することなく、他の色々な形で実施することができる。従って、前述の各実施例はあらゆる点で単なる例示に過ぎず、限定的に解釈してはならない。
【００４２】
例えば、本実施形態では５０音配列のキーボタンをもつ画面を例示したが、例えばＪＩＳ配列のキーボタンを備えていても良いし、キーボタンに限らず、アイコンやマーク等の画像が入力部分として配列されていても良い。
【００４３】
また、拡大表示する画面に表示するキーボタンの数は１２個に限らず、画面のサイズやキーボタンの大きさに応じて適宜変更できる。
【００４４】
更に、非接触瞬間検出部９が検出する非接触状態の時間的長さは、使い勝手等に応じて適宜変更可能である。
【００４５】
また、本実施形態では光学式タッチパネルを例に説明したが、これに限定されず、例えば感圧式や静電式で接触を感知するようなタッチパネルを用いても良い。
【００４６】
このように、本発明の範囲は、特許請求の範囲によって示すものであって、明細書本文には何ら拘束されない。更に、特許請求の範囲の均等範囲に属する変形や変更は、全て本発明の範囲内のものである。
【００４７】
加えて、本発明は、上述した入力装置の機能をコンピュータに実現させるためのプログラムを含むものである。これらのプログラムは、記録媒体から読み取られてコンピュータに取り込まれても良いし、通信ネットワークを介して伝送されてコンピュータに取り込まれても良い。
【図面の簡単な説明】
【００４８】
【図１】本発明の一実施形態におけるタッチパネル式の入力装置の概略構成図である。
【図２】本発明の一実施形態における表示パネル部に表示されるキーボタンの一例である。
【図３】図２に例示した画面からユーザーが「ち」のキーボタンを接触して、全画面表示から拡大画面表示をした一例である。
【図４】図２に例示した拡大画面から、ユーザーが「し」の文字を選択入力する手段を示した図である。
【図５】図２に例示した画面からユーザーが「れ」のキーボタンを接触して表示した画面である。
【図６】本実施形態における入力装置により選択入力する際の、入力装置の処理動作を例示するフローチャートである。
【符号の説明】
【００４９】
１…タッチパネル入力部
２…制御部
３…入力パネル
４…入力検出部
５…入力部
６…表示部
７…接触位置検出部
８…接触箇所数検出部
９…非接触瞬間検出部
１０…パネル情報送信部
１１…パネル情報受信部
１２…入力装置イベント制御部（イベント処理実行手段）
１３…選択可能項目指示部
１４…画面表示画像情報検出部（周辺画像情報検出手段）
１５…画面表示画像拡大部（拡大手段）
１６…全画面表示画像部
１７…項目選択部（接触画像検出手段）
Ｋ１…キーボタン  （全画面）
Ｋ２…キーボタン  （拡大画面）
【図１】
2008009856.tif 000003
【図２】
2008009856.tif 000004
【図３】
2008009856.tif 000005
【図４】
2008009856.tif 000006
【図５】
2008009856.tif 000007
【図６】
2008009856.tif 000008